(57)【特許請求の範囲】
【請求項１】
コンテンツを取得する取得手段と、
前記取得手段が取得する第１のコンテンツに対応するコンテンツを検索する検索手段と、
前記取得手段が取得した前記第１のコンテンツの解像度が所定の解像度よりも低い場合、前記検索手段によって検索された、前記取得手段が取得した第１のコンテンツの解像度よりも解像度が高い第２のコンテンツを特定する情報を提示する提示手段とを有し、
前記取得手段は、コンテンツの解像度を示す配信情報と前記コンテンツとを含む放送波から、前記第１のコンテンツの解像度を示す前記配信情報と前記第１のコンテンツとを取得し、
前記放送波に含まれる前記配信情報が示す前記第１のコンテンツの第１の解像度よりも低い第２の解像度で前記取得手段が前記第１のコンテンツを取得した場合、前記提示手段は、前記検索手段によって検索された、前記第２の解像度より解像度が高い前記第２のコンテンツを特定する情報を提示することを特徴とする情報処理装置。
【請求項２】
前記取得手段が取得した前記第１のコンテンツの解像度が前記第１の解像度よりも低い場合に、前記第１のコンテンツよりも解像度が高い前記第２のコンテンツを特定する情報を前記提示手段が提示するか否かを設定する設定手段を有することを特徴とする請求項１に記載の情報処理装置。
【請求項３】
情報処理装置が取得する第１のコンテンツに対応するコンテンツを検索する検索ステップと、
前記第１のコンテンツを取得する取得ステップと、
前記取得ステップにおいて取得した前記第１のコンテンツの解像度が所定の解像度よりも低い場合、前記検索ステップにおいて検索された、前記取得ステップにおいて取得した第１のコンテンツの解像度よりも解像度が高い第２のコンテンツを特定する情報を提示する提示ステップとを有し、
前記取得ステップにおいて、コンテンツの解像度を示す配信情報と前記コンテンツとを含む放送波から、前記第１のコンテンツの解像度を示す前記配信情報と前記第１のコンテンツとを取得し、
前記放送波に含まれる配信情報が示す前記第１のコンテンツの第１の解像度よりも低い第２の解像度で前記取得ステップにおいて前記第１のコンテンツを取得した場合、前記提示ステップにおいて、前記検索ステップにおいて検索された、前記第２の解像度より解像度が高い前記第２のコンテンツを特定する情報を提示することを特徴とする前記情報処理装置の制御方法。
【請求項４】
前記取得ステップにおいて取得した前記第１のコンテンツの解像度が前記第１の解像度よりも低い場合に、前記第１のコンテンツよりも解像度が高い前記第２のコンテンツを特定する情報を前記提示ステップにおいて提示するか否かを設定する設定ステップを有することを特徴とする請求項３に記載の制御方法。
【請求項５】
コンピュータに、
前記コンピュータが取得する第１のコンテンツに対応するコンテンツを検索する検索手順と、
前記第１のコンテンツを取得する取得手順と、
前記取得手順において取得した前記第１のコンテンツの解像度が所定の解像度よりも低い場合、前記検索手順において検索された、前記取得手順において取得した第１のコンテンツの解像度よりも解像度が高い第２のコンテンツを特定する情報を提示する提示手順と
を実行させ、
前記取得手順において、コンテンツの解像度を示す配信情報と前記コンテンツとを含む放送波から、前記第１のコンテンツの解像度を示す前記配信情報と前記第１のコンテンツとを取得させ、
前記放送波に含まれる配信情報が示す前記第１のコンテンツの第１の解像度よりも低い第２の解像度で前記取得手順において前記第１のコンテンツを取得した場合、前記提示手順において、前記検索手順において検索された、前記第２の解像度より解像度が高い前記第２のコンテンツを特定する情報を提示する処理を実行させるためのプログラム。
【請求項６】
前記コンピュータに、
前記取得手順において取得した前記第１のコンテンツの解像度が前記第１の解像度よりも低い場合に、前記第１のコンテンツよりも解像度が高い前記第２のコンテンツを特定する情報を前記提示手順において提示するか否かを設定する設定手順を実行させるための請求項５に記載のプログラム。
【発明の詳細な説明】
【技術分野】
【０００１】
本発明は、インターネット上の配信サーバ等からコンテンツの受信する技術に関する。
【背景技術】
【０００２】
現在、デジタル放送において、現在から約１週間先までの期間内に放送される放送番組（映像コンテンツ）を知るために、電子番組表（ＥＰＧ：Ｅｌｅｃｔｒｉｃａｌ  Ｐｒｏｇｒａｍ  Ｇｕｉｄｅ）が使用されている。
【０００３】
そして、ＥＰＧを用いて所望の番組を選択して、当該番組を視聴したり、録画予約したりすることができる。
【０００４】
一方、ユーザが所望の番組を選択すると、インターネット上の配信サーバ等から当該番組を受信され、一定期間内、当該番組を視聴できるサービスがビデオオンデマンド（以下、ＶＯＤとする。）サービスとして知られている。
【０００５】
そして、特許文献１には、ＥＰＧに提示される個々の番組に対して、ＶＯＤサービスによって配信される予定の番組であるか否かを示す情報を付与する技術が開示されている。
【０００６】
尚、特許文献１によれば、上述したＶＯＤに関する情報は、ＥＰＧ表示用情報のＥＩＴ（Ｅｖｅｎｔ  Ｉｎｆｏｒｍａｔｉｏｎ  Ｔａｂｌｅ）に含まれる情報としている。
【先行技術文献】
【特許文献】
【０００７】
【特許文献１】特開２００８−２６３４３４号公報
【発明の概要】
【発明が解決しようとする課題】
【０００８】
しかしながら、例えば、ユーザが所望の番組を録画予約した後、当該番組の放送時間に機器に問題等が生じ、当該番組が録画できなかった場合、以下の課題が生じる。
【０００９】
即ち、ユーザは、再び録画できなかった番組を指定して、ＶＯＤサービス等によって配信されるか否か確認し、ＶＯＤサービス等によって配信される同一または類似の番組である場合には、当該同一または類似の番組を選択する操作が必要であった。
【００１０】
そこで、本発明は、ユーザが所望する番組が録画できなかった場合に、ユーザに対して、直ちに、ＶＯＤサービス等によって配信される同一または類似の番組の選択を促すことを目的とする。
【００１１】
尚、ここで、類似の番組とは、録画できなかった番組の再放送に相当する番組、録画できなかった番組を編集した番組、録画できなかった番組と同一内容であるがカメラアングル等が異なる番組等をいう。
【課題を解決するための手段】
【００１２】
上記課題を解決するために本発明による情報処理装置は、コンテンツを取得する取得手段と、前記取得手段が取得する第１のコンテンツに対応するコンテンツを検索する検索手段と、前記取得手段が取得した前記第１のコンテンツの解像度が所定の解像度よりも低い場合、前記検索手段によって検索された、前記取得手段が取得した第１のコンテンツの解像度よりも解像度が高い第２のコンテンツを特定する情報を提示する提示手段とを有し、前記取得手段は、コンテンツの解像度を示す配信情報と前記コンテンツとを含む放送波から、前記第１のコンテンツの解像度を示す前記配信情報と前記第１のコンテンツとを取得し、前記放送波に含まれる前記配信情報が示す前記第１のコンテンツの第１の解像度よりも低い第２の解像度で前記取得手段が前記第１のコンテンツを取得した場合、前記提示手段は、前記検索手段によって検索された、前記第２の解像度より解像度が高い前記第２のコンテンツを特定する情報を提示することを特徴とする。
【発明の効果】
【００１３】
以上説明したように、本発明によれば、ユーザが所望する番組が録画できなかった場合に、ユーザに対して、直ちに、ＶＯＤサービス等によって配信される同一または類似の番組の選択を促すことが可能となる。
【図面の簡単な説明】
【００１４】
【図１】図１は、本発明に係る映像再生装置の機能構成を示す機能ブロック図である。
【図２】図２は、装置使用者にＶＯＤ配信等を促す処理を示すフローチャートである。
【図３】図３は、装置使用者にＶＯＤ配信等を促す処理を示すフローチャートである。
【図４】図４は、予約結果、配信情報の一例を示す図である。
【図５】図５は、番組の配信に関する設定項目の一例を示す図である。
【図６】図６は、装置使用者にＶＯＤ配信等を促す処理を示すフローチャートである。
【図７】図７は、映像出力部１１０にＶＯＤ情報を表示した様子を示す図である。
【発明を実施するための形態】
【００１５】
［第１の実施形態］
以下、図面を参照しながら本発明の第１の実施形態について説明する。
【００１６】
図１は、本発明に係る情報処理装置の一例である映像再生装置の機能構成を示す機能ブロック図である。
【００１７】
同図において、映像再生装置は、チューナ１０１、通信部１０２、デマルチプレクサ１０３、記録再生部１０４、ＨＤＤ（ハードディスクドライブ）１０５、復号部１０６、音声出力部１０７、番組情報解析部１０８、グラフィック制御部１０９を有する。また、映像再生装置は、映像出力部１１０、配信情報保持部１１１、操作部１１２、予約部１１３、ＣＰＵ（中央処理装置）１１４、メモリ１１５を有する。
【００１８】
チューナ１０１は外部の放送局から電波塔、衛星経由で配信されるデジタル放送をアンテナ経由で受信し、選択したデジタル変調信号を復調してＴＳ（Ｔｒａｎｓｐｏｒｔ  Ｓｔｒｅａｍ）としてデマルチプレクサ１０３へ出力する。受信電波の著しい減衰等の理由により正常にデジタル放送を受信できなり、降雨対策である低解像度の低階層受信に切り替った場合は、その旨をＣＰＵ１１４へ通知する。また、さらに著しく減衰し、低階層受信すら不可能になった場合も同様にＣＰＵ１１４へ通知する。ＣＰＵ１１４はその旨をメモリ１１５へ、受信していた番組情報と共に記録する。
【００１９】
通信部１０２は、ネットワーク経由でインターネット上の各種サーバと各種情報のやり取りを行う。例えば、ＶＯＤ配信サーバからは所望のコンテンツの配信に関する情報やコンテンツそのものを受信する。受信した配信に関する情報は配信情報保持部１１１に出力し、コンテンツのデータは必要であるならばタイムスタンプ付きのＴＳのままデマルチプレクサ１０３へ出力する。
【００２０】
デマルチプレクサ１０３は、チューナ１０１、通信部１０２または記録再生部１０４から受信したＴＳから所望のパケットを多重分離する。パケットのヘッダ部にはＰＩＤ（Ｐａｃｋｅｔ  Ｉｄｅｎｔｉｆｉｅｒ）が記述されており、このＰＩＤに基づいてパケットの種類が識別される。映像や音声等の個別ストリームが収められたＰＥＳ（Ｐａｃｋｅｔｉｚｅｄ  Ｅｌｅｍｅｎｔａｒｙ  Ｓｔｒｅａｍ）パケットは、同じＰＩＤ番号を持つ複数のＴＳパケットに分割されて伝送される。またＴＳには、ＰＳＩ（Ｐｒｏｇｒａｍ  Ｓｐｅｃｉｆｉｃ  Ｉｎｆｏｒｍａｔｉｏｎ）やＳＩ（Ｓｅｒｖｉｃｅ  Ｉｎｆｏｒｍａｔｉｏｎ）といった、セクション形式のテーブルで記述された情報のパケットが含まれる（以下、セクションパケットと記述する）。
【００２１】
デマルチプレクサ１０３は、これらのパケットから所望のパケットを選択し、分離を行う。通常再生時においては、分離された映像や音声パケットは復号部１０６へ出力され、セクションパケットは番組情報解析部１０８へ出力される。また録画時においては、選択分離された所望のパケットは記録再生部１０４へ出力される。
【００２２】
記録再生部１０４は、放送番組の録画時において、デマルチプレクサ１０３から受信したパケットと録画用に新に生成したパケットを再度多重化し、１つのコンテンツのみが多重化されたパーシャルＴＳを生成し、ＨＤＤ１０５へ記録し、管理する。尚、ＨＤＤ１０５の空き容量不足や故障等の理由により正常にデジタル放送を録画できなかった場合は、その旨をＣＰＵ１１４へ通知し、ＣＰＵ１１４はその旨をメモリ１１５へ、録画していた番組情報とともに記録する。また逆に録画番組の再生時は、ＨＤＤ１０５に記録されているコンテンツを読み出し、デマルチプレクサ１０３へ出力する。
【００２３】
ＨＤＤ１０５は、記録再生部１０４に管理制御され、放送番組やインターネット経由のダウンロードサービス等で購入したコンテンツ情報等を記録する。
【００２４】
復号部１０６は、デマルチプレクサ１０３から受信した映像や音声パケットの復号処理を行い、復号した映像データをグラフィック制御部１０９、音声データを音声出力部１０７へ出力する。
【００２５】
音声出力部１０７は、復号部１０６から受信した音声データを音声、或いは音声信号として出力を行う。音声出力部１０７にはスピーカやヘッドホーン出力等が含まれ、それらから音声及び音声信号が出力されることになる。
【００２６】
番組情報解析部１０８は、デマルチプレクサ１０３から受信したセクションパケットを解析する。セクションパケットを解析することにより、放送番組を再生する上で必要な情報だけでなく、番組の内容を示す番組情報を得ることが可能となる。例えばＥＰＧを表示するのに必要な番組情報はＥＩＴを解析することで得られる。即ちＥＩＴを解析することで得られた情報からＥＰＧ画面情報が生成され、その画面情報をグラフィック制御部１０９へ出力することでＥＰＧ画面の表示が行われる。装置使用者はＥＰＧ画面を操作し、番組を選択することで番組の録画予約、及び視聴予約が可能である。この録画予約、及び視聴予約された番組の放送時刻やチャンネル情報といった番組情報が予約部１１３へ出力される。また予約時にその放送番組の番組情報に、同一内容のコンテンツのＶＯＤ配信やダウンロードサービスによる配信が行われる旨の配信情報が含まれる場合は、その配信情報が配信情報保持部１１１へ出力される。
【００２７】
グラフィック制御部１０９は、復号部１０６から受信した映像データとそれ以外の映像情報、例えば番組情報解析部１０８から受信したＥＰＧ画面データを、時には排他的に、また時には同時に表示するよう合成処理を行い、映像出力部１１０へ出力する。なおＥＰＧ画面表示同様に、装置使用者の各種操作に伴う表示情報やそれ以外の表示情報などもグラフィック制御部１０９に入力され、復号部１０６から受信した映像データと合成処理され出力される。即ち、図４（ａ）に図示されるようなリスト、図４（ｂ）に図示されるような配信情報等も同様にグラフィック制御部１０９に入力され、映像出力部１１０にて表示されることになる。
【００２８】
映像出力部１１０は、グラフィックス制御部１０９から受信した映像データを映像として出力する。即ち、映像出力部１１０は、例えばＬＣＤ（Ｌｉｑｕｉｄ  Ｃｒｙｓｔａｌ  Ｄｉｓｐｌａｙ）等のＦＰＤ（Ｆｌａｔ  Ｐａｎｅｌ  Ｄｉｓｐｌａｙ）や映像出力等が含まれ、映像等が表示される。
【００２９】
配信情報保持部１１１は、通信部１０２や番組情報解析部１０８から受信したコンテンツの配信情報を保持する。番組情報解析部１０８からは放送波に含まれる配信情報を受信記録し、通信部１０２からはインターネット上をその放送番組と同一内容のコンテンツを検索し、その配信情報を受信記録する。尚、インターネット上の検索は、放送番組の録画予約及び視聴予約時にその番組情報を参照して行われる。
【００３０】
操作部１１２は、図示省略されたリモコン受光部を含み、装置に対する各種操作を行う。例えば放送番組の録画予約や視聴予約時においては、リモコンから予約に関する操作が行われ、予約部１１３へ予約に関する各種指示が行われることになる。なお図示省略したが、録画番組の再生時には操作部１１２から記録再生部１０４へコンテンツ選択に関する指示が行われ、放送番組の選局時には操作部１１２からチューナ１０１及びデマルチプレクサ１０３へ選局に関する指示が行われる。また同様にＶＯＤ配信やダウンロードサービスでのコンテンツ選択時は、操作部１１２から通信部１０２経由でインターネット上の配信サーバに配信指示が行われる。
【００３１】
予約部１１３は、操作部１１２より受信した装置使用者の指示に従い、録画予約や視聴予約された番組の予約情報を管理する。例えば、ＥＰＧ画面からの予約時は、予約された番組情報が番組情報解析部１０８から受信され、記録、管理されることになる。即ち、録画や視聴での取得予定となるコンテンツの開始日時、終了日時、タイトル、ジャンル情報等の情報が記録され、管理される。
【００３２】
ＣＰＵ１１４は、映像再生装置全体を制御する。即ちＣＰＵ１１４は、メモリ１１５に記録されたソフトウェアのプログラムや各種情報を読み出し、実行することで、各種動作を実現するための制御を行う。尚、ＣＰＵ１１４が行う制御とは、例えば図２、図３に示す一連の処理をいう。
【００３３】
メモリ１１５は、ＣＰＵ１１４で実行されるプログラムやプログラムを実行するために必要となる各種情報が記録される。例えばプログラムの一部として、図２、図３に示す一連の処理に関する情報が記録される。また各種情報としては、予約の表示件数カウンタ、チューナ１０１から通知される受信したデジタル放送の電波状態や、記録再生部１０４から通知される録画した放送番組の記録状態が記録される。
【００３４】
以上が、本発明を実施する映像再生装置のシステムの概略構成である。
【００３５】
次に、本実施形態における映像再生装置の動作について説明する。
【００３６】
図２は、本実施形態における映像再生装置において、録画予約や視聴予約が行われた取得予定の放送番組に対して、装置使用者にＶＯＤ配信やダウンロードサービスによる配信を促すかどうかを決定するフローチャートである。
【００３７】
例えば、映像再生装置の電源を投入した時に図２に示される処理を行うことで、図４（ａ）に示されるような放送番組のリスト提示が可能となる。尚、図２に示す一連の処理は、ＣＰＵ１１４、メモリ１１５等が連携することで実現される。
【００３８】
図３は、本実施形態における映像再生装置において、個々の録画予約や視聴予約が行われた取得予定の放送番組に対して、装置使用者にＶＯＤ配信やダウンロードサービスによる配信を促すかどうかを決定するフローチャートである。即ち、図２のフローチャートにおけるステップＳ２０３の処理内容を詳細に示したものである。尚、図３に示す一連の処理は、ＣＰＵ１１４、メモリ１１５等が連携することで実現される。
【００３９】
図４（ａ）は、複数の放送番組に対して、図２に示された処理を行った結果をリスト提示した一例である。装置立ち上げ時等に、図４に（ａ）示されるような提示を行うことで、複数の放送番組の予約結果が一目で確認できるようになる。
【００４０】
表示される項目としては、その放送番組のタイトル、放送日時、チャンネル情報、録画や視聴の状況、録画機器の名称、同一内容のコンテンツのＶＯＤ配信やダウンロードサービスによる配信の推奨の有無等からなる。録画や視聴の状況では、その放送番組に対する各種エラー情報や、録画された場合でも画質の劣化があればその旨を表示する。また、配信の推奨に関しては、図３のフローチャートに従って推奨するか否かを求めた結果を示しており、テキスト表示ではなく、配信を推奨する番組のみにその旨を意味するアイコン等で表示するようにしても良い。
【００４１】
図４（ｂ）は、図４（ａ）に示された放送番組のうち、装置使用者が同一内容のコンテンツのＶＯＤ配信やダウンロードサービスによる配信での再生を促された放送番組の配信を、リモコン等で選択した際に提示される配信情報の一例である。装置使用者は図４（ｂ）に示された情報を確認することにより、配信による再生を行うか否か判断することが可能となり、配信を行うことをリモコン等で選択することで、所望の放送番組と同一内容のコンテンツの配信による再生が開始されることになる。尚、ダウンロードサービスに関しては、コンテンツのダウンロード開始とともに、ダウンロードされたコンテンツデータの再生を開始することで、速やかなる視聴が可能である。
【００４２】
表示される項目としては、その放送番組のタイトル、配信の方式、視聴可能期間、視聴料金の課金の有無と課金される場合はその価格、コマーシャルの有無、コンテンツの解像度やビットレート、及び配信のためのアクセスポイント等からなる。放送番組のタイトルは、配信によるコンテンツのタイトルとしてもよい。価格やコマーシャルの有無を表示することで装置使用者がＶＯＤ配信を行うか否かの判断の材料となる。また、コンテンツのビットレートの表示を行うことで装置使用者の視聴環境でのコンテンツのＶＯＤ配信による視聴が問題なく行えるかどうか判断可能となる。即ち、家庭内ＬＡＮ（ＬＯＣＡＬ  ＡＲＥＡ  ＮＥＴＷＯＲＫ）とインターネットへの接続環境のデータ転送速度とコンテンツのビットレートを比較することで、ＶＯＤ配信による視聴の可否が判断できる。
【００４３】
また図５は、装置使用者に対して予約された放送番組と同一内容のコンテンツのＶＯＤ配信やダウンロードサービスによる配信を推奨するか否か、どのような状況で推奨するか等、その設定項目の一例を示している。詳細に関しては後述する。
【００４４】
以下、図２を参照しながら、録画予約や視聴予約が行われた取得予定の放送番組に対して、装置使用者にＶＯＤ配信やダウンロードサービスによる配信を促すかどうかを決定する処理について説明する。
【００４５】
まず、ステップＳ２０１において、ＣＰＵ１１４は、メモリ１１５に記録されている予約の表示件数カウンタを０件に初期化する。尚、ステップＳ２０１の処理は、装置立ち上げ時に実行される処理とする。
【００４６】
次に、ステップＳ２０２において、ＣＰＵ１１４は、予約部１１３にて管理されている全ての録画予約や視聴予約に対して、後述するステップＳ２０３に記載される処理を行ったかどうか判断する。
【００４７】
尚、ステップＳ２０２において、すべての予約に対して処理を行ったと判断した場合、ステップＳ２０６の処理を実行し、すべての予約に対して処理を行っていないと判断した場合ステップＳ２０３の処理を実行する。
【００４８】
ステップＳ２０３において、ＣＰＵ１１４は、予約部１１３にて管理されている個々の予約に対する処理を行う。即ち、録画予約や視聴予約が行われた取得予定の放送番組の夫々に対して、図３に後述する処理が行われることになる。
【００４９】
次に、ステップＳ２０４において、ＣＰＵ１１４は、ステップＳ２０３にて処理された予約に対して、エラー表示をするか否か判断する。
【００５０】
尚、ステップＳ２０４において、エラー表示をすると判断した場合、ステップＳ２０５の処理を実行し、エラー表示をすると判断した場合、次の予約に対して、ステップＳ２０２から始まる一連の処理を実行する。尚、エラー表示をするか否かの判断は、後述する図３のステップＳ３０２の処理結果に基づく。
【００５１】
ステップＳ２０５において、ＣＰＵ１１４は、メモリ１１５に記録されている予約の表示件数カウンタを１アップさせ、ステップＳ２０２へ移行する。即ち、ステップＳ２０２からステップＳ２０５を繰り返し行うことで、図４（ａ）に示されるように、録画予約や視聴予約が行われた取得予定の放送番組のうち、リスト提示を行う件数とその表示内容を求めることになる。
【００５２】
ステップＳ２０６において、ＣＰＵ１１４は、メモリ１１５に記録されている予約の表示件数カウンタが０件であるか否か判断する。尚、ステップＳ２０６において、予約の表示件数カウンタが０件である場合、図４（ａ）に示されるようなリスト提示は行わず、一連の処理を終了する。一方、ステップＳ２０６において、予約の表示件数カウンタが０件でない場合、ステップＳ２０７の処理を実行する。
【００５３】
ステップＳ２０７において、ＣＰＵ１１４は、グラフィック制御部１０９を制御し、図４（ａ）に示されるようなリスト提示を行う。即ち、ステップＳ２０２からステップＳ２０５を繰り返し行うことで求められた予約件数分、個々の予約に対して、その詳細を表示することになる。
【００５４】
以上が、本実施例における映像差製装置において、録画予約や視聴予約が行われた取得予定の放送番組に対して、装置使用者にＶＯＤ配信やダウンロードサービスを促すかどうかを決定する処理の流れである。
【００５５】
次に、図２におけるステップＳ２０３の処理の詳細について図３を用いて説明する。尚、図３は録画予約や視聴予約が行われた取得予定の放送番組の１件毎に処理が行われる。また、図３に示す一連の処理は、ＣＰＵ１１４、メモリ１１５等が連携することで実現される。
【００５６】
ステップＳ３０１において、ＣＰＵ１１４は、放送開始時間が既に経過した否か判断する。即ち、予約部１１３に記録された予約の開始日時と、図１にて図示省略されたＲＴＣ（Ｒｅａｌ  Ｔｉｍｅ  Ｃｌｏｃｋ）から得られる現在の日時を比較する。尚、ステップＳ３０１において、放送開始時間が既に経過した否か判断した場合、一連の処理を終了する。一方、ステップＳ３０１において、放送開始時間が既に経過していないと判断した場合、ステップＳ３０２の処理を実行する。
【００５７】
ステップＳ３０２において、ＣＰＵ１１４は、処理の対象となっている放送番組が正常に取得できたか否か判断する。即ち、ステップＳ３０２において、ＣＰＵ１１４は、処理の対象となっている放送番組を取得または保持する処理において生じたエラーを検知する。尚、ステップＳ３０２において、正常に取得できたと判断した場合は、当該番組に対する一連の処理を終了する。一方、ステップＳ３０２において、正常に取得できなかったと判断した場合はステップＳ３０３の処理を実行する。例えば、チューナ１０１から受信電波の著しい減衰等の理由により正常に受信できなかった旨の通知がＣＰＵ１１４に入力され、その旨がメモリ１１５に記録されている場合等はステップＳ３０３の処理が実行されることになる。尚、ここで正常に取得できなかったと判断された放送番組に関しては、前述した図２のステップＳ２０４にて、エラー表示を行うと判断されることになる。
【００５８】
ステップＳ３０３において、ＣＰＵ１１４は、ステップＳ３０２にて正常に取得できなかったと判断された放送番組について、以下の処理を実行する。即ち、ステップＳ３０３において、ＣＰＵ１１４は、番組情報解析部１０８に対して、予約部１１３に記憶された当該番組の番組情報の解析を指示する。
【００５９】
ステップＳ３０４において、ＣＰＵ１１４は、番組情報解析部１０８が解析した番組情報を元に、その放送番組の各種情報の表示をグラフィックス制御部１０９に指示する。即ち、図４（ａ）に示される例では、タイトル「サッカーＡ」の場合、そのタイトル、放送時間、チャンネル情報等がグラフィックス制御部１０９経由で映像出力部１１０から表示されることになる。
【００６０】
ステップＳ３０５において、ＣＰＵ１１４は、ステップＳ３０２にて正常に取得できなかったと判断された放送番組に対して、その原因を特定する。例えば、図４（ａ）に示される例では、タイトル「サッカーＡ」の場合、ＨＤＤ１０５において何らかのエラーが発生した旨の情報が記録再生部１０４からＣＰＵ１１４へ通知され、メモリ１１５に記録されている。そのことにより、録画予約された放送番組の録画エラーが発生したこととそのエラーの原因が特定される。
【００６１】
ステップＳ３０６において、ＣＰＵ１１４は、ステップＳ３０５にて判定した原因の表示をグラフィックス制御部１０９に指示する。即ち、図４（ａ）に示される例では、タイトル「サッカーＡ」の場合、その判定された原因である「ＨＤＤエラー発生による録画エラー」という文字列等がグラフィックス制御部１０９経由で映像出力部１１０から表示されることになる。
【００６２】
ステップＳ３０７において、ＣＰＵ１１４は、配信情報が記録されているか否かを判断する。尚、ステップＳ３０７において、その放送番組と同一内容のコンテンツのＶＯＤ配信やダウンロードサービスによる配信情報が、配信情報保持部１１１に記録されていなければその番組に対する一連の処理を終了する。一方、ステップＳ３０７において、上述した配信情報が記録されている場合はステップＳ３０８の処理を実行する。
【００６３】
ステップＳ３０８において、ＣＰＵ１１４は、推奨する配信先を選択する。即ち、配信情報保持部１１１に記録されている複数の配信情報から最適な配信先を選択する。尚、最適な配信先の選択には、ステップＳ３０５での判定結果から適応的に判断される。
【００６４】
例えば、図４（ａ）に示される例では、タイトル「野球Ｂ」の場合、ステップＳ３０５にてＨＤＤ１０５において何らかのエラーが発生し、録画予約された放送番組の録画エラーが発生したと判定されている。その場合、その原因は装置固有の課題に起因し、記録手段であるＨＤＤ１０５を使用しない、即ちその原因が回避可能な方法、その原因による影響を受けない方法が選択される。従って、その放送番組と同一内容のコンテンツ配信を示す配信情報であり、かつ録画を行わない配信方法であるＶＯＤ配信を示す配信情報が選択されることになる。
【００６５】
また、タイトル「映画Ｅ」の場合、ステップＳ３０５にて視聴年齢制限による録画エラーが発生したと判定される。その場合、その原因は装置固有の課題に起因し、その原因が回避可能な方法が選択される。即ち、その放送番組と同一内容のコンテンツ配信を示す配信情報であり、かつ装置に設定されている視聴年齢でも視聴可能であることを示す配信情報が選択されることになる。尚、例え同一内容のコンテンツであっても、その視聴年齢制限をかける要因となるシーンを削除することで、視聴年齢制限のない、或いは低年齢でも視聴可能なコンテンツとして配信されることがある。
【００６６】
タイトル「サッカーＨ」の場合、ステップＳ３０５にて録画自体は正常に行われたが、本来放送され、録画される予定であった放送番組よりも画質が劣化した状態で録画されたと判定される。例えば、１つの放送番組を複数の解像度で同時に放送する階層化伝送方式による放送では、降雨等により放送波が著しく減衰した場合、受信機側では低階層受信が行われる。その場合本来録画予定であった高解像度の高階層受信ではなく低解像度の低階層受信のため、画質が劣化した状態で録画されることになる。その場合、その原因は伝送路固有の課題に起因し、その原因が回避可能な方法が選択される。即ち、その放送番組と同一内容のコンテンツ配信を示す配信情報であり、かつ録画された放送番組の解像度よりも高解像度、即ちより高品質のコンテンツであることを示し、放送以外の他の伝送路の使用を示す配信情報が選択されることになる。
【００６７】
タイトル「野球Ｊ」の場合、ステップＳ３０５にて課金による録画エラーが発生したと判定される。その場合、その原因は装置固有の課題に起因し、その原因が回避可能な方法が選択される。即ち、その放送番組と同一内容のコンテンツ配信を示す配信情報であり、かつ課金処理が必要とされない、即ちコンテンツ配信の価格が無料、或いは支払い可能な低価格で配信を行っていることを示す配信情報が選択されることになる。尚、例え同一内容のコンテンツであっても、コマーシャル等を挿入することで配信価格を無料、或いはより低価格で配信されることがある。
【００６８】
ステップＳ３０９では、ＣＰＵ１１４は、配信を装置使用者に対して推奨するか否か判断する。即ち、ステップＳ３０７にて、その放送番組と同一内容のコンテンツの配信情報が、配信情報保持部１１１に記録されていると判断されても、ステップＳ３０８にて、推奨する配信先が選択できなかった場合、その番組に対する一連の処理を終了する。一方、その放送番組と同一内容のコンテンツの配信情報が、配信情報保持部１１１に記録されており、推奨する配信先を選択できた場合はステップＳ３１０の処理を実行する。
【００６９】
即ち、例えば図４（ａ）に示される例では、タイトル「サッカーＡ」の場合、仮にその放送番組と同一内容のコンテンツのダウンロードサービスによる配信情報のみが、配信情報保持部１１１に記録されているとする。その場合、ステップＳ３０５にてハードディスク１０５において何らかのエラーが発生したために、録画予約された放送番組の録画エラーが発生したと判定される。その場合、その原因は装置路固有の課題に起因し、その原因が回避可能な方法が選択される。従って、ステップＳ３０８においてコンテンツを記録する記録手段であるハードディスク１０５を使用しない、即ち録画を行わない配信方法を示す配信情報が選択されることになる。ところが、仮に配信情報保持部１１１にはコンテンツを記録する記録手段を必要とするダウンロードサービスの配信情報のみしか記録されていないとする。その場合原因となる記録手段を使用しない、回避可能な配信方式を推奨する配信先が選択できず、その番組に対する処理を終了することになる。従って、タイトル「サッカーＡ」の場合配信の推奨は行われず、推奨を意味するアイコン等の表示も行われない。
【００７０】
ステップＳ３１０において、ＣＰＵ１１４は、ステップＳ３０９にて配信を推奨すると判断された番組に対して、配信を推奨する表示を行うようグラフィックス制御部１０９に指示し、一連の処理を終了する。なお配信を推奨する表示は、その旨を装置使用者が認識可能なマークやロゴ、アイコン等で表示しても良い。尚、配信を推奨する表示を装置使用者が選択することで、図４（ｂ）に示されるように、その番組の配信のための情報が表示される。その配信情報を表示することで、装置使用者がその配信によるコンテンツ視聴を行うかどうかの判断が可能となる。また図示省略した再生開始マーク等を選択することで、配信情報を元に実際にインターネット上の配信サーバにアクセスし、ＶＯＤ配信やダウロードサービスによるコンテンツ受信、及び再生が開始されることになる。
【００７１】
以上が、本実施例における映像差製装置において、録画予約や視聴予約が行われた取得予定の放送番組に対して、装置使用者にＶＯＤ配信やダウンロードサービスを促すかどうかを決定する処理の流れである。
【００７２】
尚、録画予約や視聴予約が行われた取得予定の放送番組のすべてに対して、上記処理を行うのではなく、優先順位を設け、処理を行う放送番組の件数に上限を設けたりしても良い。例えば装置立ち上げ時に時間的に近い放送番組を優先し、提示の件数を押さえることで、装置使用者にとって好適な提示と配信の推奨が可能となる。
【００７３】
また、本実施例では装置立ち上げ時に上記処理を行うようにしているが、それ以外に、例えば装置使用者による所定の操作に応答して当該処理を行うようにしても良い。
【００７４】
尚、ステップＳ３０８にて推奨する配信先を選択する際に、ステップＳ３０５における判定結果から適応的判断するとしているが、それに加えて装置設定を加味しても良い。
【００７５】
図５に、装置使用者に対してＶＯＤ配信やダウンロードサービスによるコンテンツ再生を推奨するか否か、及びＶＯＤ配信やダウンロードサービスによるコンテンツ再生を推奨する場合、どのような状況で推奨するか、その設定項目の一例を示す。なお、デフォルトは装置の設定を初期化した際に各設定項目に設定される内容を示している。
【００７６】
「ＶＯＤ配信の推奨」はＶＯＤ配信の推奨を行うかどうかの設定である。上記設定を「する」にすることで、ＶＯＤ配信による配信を装置使用者に推奨するように動作する。例えば上記設定が「しない」に設定されている場合は、例え同一内容のコンテンツのＶＯＤ配信による配信情報が配信情報保持部１１１に記録されていても、推奨する配信先として選択されないことになる。
【００７７】
同様に「ダウンロードサービスの推奨」はダウンロードサービスによる配信の推奨を行うかどうかの設定である。上記設定を「する」にすることで、ダウンロードサービスによる配信を装置使用者に推奨するように動作する。例えば上記設定が「しない」に設定されている場合は、例え同一内容のコンテンツのダウンロードサービスによる配信情報が配信情報保持部１１１に記録されていても、推奨する配信先として選択されないことになる。
【００７８】
「録画予約のエラー時推奨」は録画予約のエラー時に配信の推奨を行うかどうかの設定である。上記設定を「する」にすることで、録画予約された放送番組に対して、録画エラーや正常に取得できなかった場合に推奨するよう動作する。例えば上記設定が「しない」に設定されている場合は、例え同一内容のコンテンツのＶＯＤ配信やダウンロードサービスによる配信情報が配信情報保持部１１１に記録されていても、録画予約された放送番組に対する配信の推奨は行われないことになる。
【００７９】
同様に、「視聴予約のエラー時推奨」は視聴予約のエラー時に配信の推奨を行うかどうかの設定である。上記設定を「する」にすることで、視聴予約された放送番組に対して、視聴エラーや正常に取得できなかった場合に推奨するよう動作する。例えば上記設定が「しない」に設定されている場合は、例え同一内容のコンテンツのＶＯＤ配信やダウンロードサービスによる配信情報が配信情報保持部１１１に記録されていても、視聴予約された放送番組に対する配信の推奨は行われないことになる。
【００８０】
「画質劣化時の推奨」は、録画した映像や視聴中の映像が何らかの理由で画質劣化した場合に、配信による視聴を推奨するかどうかの設定である。設定を「する」にすることで、画質劣化した放送番組に対する、ＶＯＤ配信やダウンロードサービスによる提供が行われているならば、装置使用者にそれらによる視聴を推奨する。
【００８１】
「解像度の比較」は、録画や視聴する放送番組とＶＯＤ配信やダウンロードサービスで提供されるコンテンツの解像度の比較を行うかどうかの設定である。設定を「する」に設定することで、録画した放送番組や視聴する放送番組の解像度がそれらのコンテンツの解像度より低い場合、装置使用者にＶＯＤ配信やダウンロードサービスによる視聴を推奨する。ただし、装置自身が再生表示可能な範囲での解像度の比較とする。例えば、高解像度で放送予定の番組が、降雨対策などの理由から低解像度で受信された場合、ＶＯＤ配信で提供されるコンテンツと解像度の比較を行い、ＶＯＤ配信でより高解像度で提供されるならば、装置使用者にＶＯＤ配信による視聴を推奨する。
【００８２】
「ＨＤＤエラー発生による録画エラー時の推奨」は、ハードディスク１０５において何らかのエラーが発生し、録画予約された放送番組の録画エラーが発生した場合に、配信による視聴を推奨するかどうかの設定である。設定を「する」にすることで、ハードディスク１０５等の録画手段の障害で録画できなかった録画番組に対する、ＶＯＤ配信やダウンロードサービスによる提供が行われているならば、装置使用者にそれらによる視聴を推奨する。
【００８３】
「視聴年齢制限によるエラー時の推奨」は、録画予約や視聴予約した放送番組が視聴年齢制限により録画や視聴できなかった場合に、配信による視聴を推奨するかどうかの設定である。設定を「する」にすることで、視聴年齢制限により録画や視聴のできなかった放送番組に対する、ＶＯＤ配信やダウンロードサービスによる提供が行われているならば、装置使用者にそれらによる視聴を推奨する。
【００８４】
「年齢制限のチェック」は、配信されるコンテンツに視聴年齢制限がかけられたコンテンツであるかどうか、及び視聴年齢制限がかけられているならば装置使用者の視聴が可能な視聴年齢制限かどうかをチェックするかどうかの設定である。設定を「する」にすることで、配信されるコンテンツに視聴年齢制限がかけられ、かつ装置使用者が視聴できない場合は、例えその放送番組に対するＶＯＤ配信やダウンロードサービスによる提供がされていても、装置使用者に配信による視聴を推奨しない。
【００８５】
「課金エラー時の推奨」は、録画予約や視聴予約した放送番組が有料放送であり、かつ課金処理に関する課題で録画や視聴できなかった場合に、配信による視聴を推奨するかどうかの設定である。設定を「する」にすることで、課金により録画や視聴のできなかった放送番組に対する、ＶＯＤ配信やダウンロードサービスによる提供が行われているならば、装置使用者にそれらによる視聴を推奨する。
【００８６】
「課金のチェック」は、ＶＯＤ配信やダウンロードサービスによるコンテンツの視聴に課金処理が必要であるかどうか、及び必要であるならば支払い可能な価格であるのかどうかをチェックするかどうかの設定である。支払い可能な価格は別途設定可能としてもよいし、課金エラーしたコンテンツよりも低価格の価格ならば推奨するようにしても良い。即ち設定を「する」にすることで、ＶＯＤ配信やダウンロードサービスのコンテンツの視聴に課金処理が必要であり、かつ支払い価格が高価の場合は、装置使用者にＶＯＤ配信やダウンロードサービスによる視聴を推奨しない。
【００８７】
「録画予約時に推奨」は、録画予約時にその放送番組が既にＶＯＤ配信やダウンロードサービスによる提供が行われているならば、ＶＯＤ配信やダウンロードサービスによる視聴を推奨するかどうかの設定である。即ち設定を「する」にすることで、録画予約時にＶＯＤ配信やダウンロードサービスの可否が判断でき、その放送番組の放送を待つことなく装置使用者はＶＯＤ配信やダウンロードサービスによる視聴が可能となる。
【００８８】
「視聴予約時に推奨」は、視聴予約時にその放送番組が既にＶＯＤ配信やダウンロードサービスによる提供が行われているならば、ＶＯＤ配信やダウンロードサービスによる視聴を推奨するかどうかの設定である。即ち設定を「する」にすることで、視聴予約時にＶＯＤ配信やダウンロードサービスの可否が判断でき、その放送番組の放送を待つことなく装置使用者はＶＯＤ配信やダウンロードサービスによる視聴が可能となる。
【００８９】
「視聴中に推奨」は、視聴時にその放送番組が既にＶＯＤ配信やダウンロードサービスによる提供が行われており、視聴中の映像が何らかの理由で画質劣化した場合に、ＶＯＤ配信やダウンロードサービスによる視聴を推奨するかどうかの設定である。即ち設定を「する」にすることで、視聴中に映像が何らかの理由で画質劣化した場合、同一内容のコンテンツを装置使用者はＶＯＤ配信やダウンロードサービスによって視聴が可能となる。
【００９０】
「装置立ち上げ時に推奨」は、装置立ち上げ時に、録画予約や視聴予約が行われた放送番組に対して、装置使用者にＶＯＤ配信やダウンロードサービスによる配信を促すかどうかの設定である。即ち設定を「する」にすることで、録画予約や視聴予約が行われた個々の放送番組に対して、図３に示される処理が行われ、図４に示されるような放送番組のリスト提示が行われることになる。
【００９１】
以上説明したように、これらの設定項目は単独で装置の動作を決定する場合と、他の設定項目と関係して装置の動作を決定する場合がある。また夫々の設定に優先順位を設けて動作するようにしても良い。例えば「解像度の比較」よりも「課金のチェック」を優先し、課金される場合は例え高解像度であっても、装置使用者にＶＯＤ配信による視聴を推奨しないようにしても良い。
【００９２】
また個々の設定をさらに細分化して設定できるようにしても良い。例えば「画質劣化時の推奨」をＶＯＤ配信とダウンロードサービスといったサービス毎に設定できるようにしても良い。また、録画予約時や視聴予約時、及び視聴中や装置立ち上げ時といった状況毎に設定できるようにしても良い。
【００９３】
［第２の実施形態］
以下、図面を参照しながら本発明の第２の実施形態について説明する。
【００９４】
本実施形態における映像再生装置は、図１と同様であるため、説明を省略する。
【００９５】
次に、本実施例における映像再生装置の動作について、図６の図面を用いて説明する。尚、図６に示す一連の処理は、ＣＰＵ１１４、メモリ１１５等が連携することで実現される。
【００９６】
図６は、本実施例における映像再生装置において、放送番組を視聴中に、視聴中の放送番組の代わりに、装置使用者にＶＯＤ配信やダウンロードサービスを促すかどうかを決定するフローチャートである。
【００９７】
まず、ステップＳ７０１において、ＣＰＵ１１４は、配信情報が記録されているかどうか判断する。即ちその放送番組と同一内容のコンテンツのＶＯＤ配信やダウンロードサービスによる配信情報が、配信情報保持部１１１に記録されていなければその番組に対する処理を終了し、記録されている場合はステップＳ７０２へ移行する。
【００９８】
ステップＳ７０２において、ＣＰＵ１１４は、現在視聴中の放送番組に対して、その視聴状態を解析し、ステップＳ７０３へ移行する。視聴状態は、チューナ１０１、デマルチプレクサ１０３等各種機能ブロックからＣＰＵ１１４への通知で判断する。例えば、チューナ１０１からの通知においては、電波が著しく減衰した場合、降雨対策である低解像度の低階層受信での視聴が可能か、それより更に減衰し、正常な視聴が不可能になっているかどうか等を解析する。
【００９９】
ステップＳ７０３において、ＣＰＵ１１４は、推奨する配信先を選択する。即ち、配信情報保持部１１１に記録されている複数の配信情報から最適な配信先を選択し、ステップＳ７０４へ移行する。なお、最適な配信先の選択には、ステップＳ７０２での判定結果から適応的に判断される。例えば、１つの放送番組を複数の解像度で同時に放送する階層化伝送方式による放送では、降雨等により放送波が著しく減衰した場合、受信機側では低階層受信が行われる。その場合本来視聴予定であった高解像度の高階層受信ではなく低解像度の低階層受信のため、画質が劣化した状態で視聴されることになる。その場合その放送番組と同一内容のコンテンツ配信を示す配信情報であり、かつ視聴されている放送番組の解像度よりも高解像度、即ちより高品質のコンテンツであることを示す配信情報が選択されることになる。
【０１００】
ステップＳ７０４において、ＣＰＵ１１４は、配信を装置使用者に対して推奨するかどうか判断する。即ち、ステップＳ７０３にて、その放送番組と同一内容のコンテンツの配信情報が、配信情報保持部１１１に記録されていると判断されても、ステップＳ７０３にて、推奨する配信先が選択できなかった場合、ステップＳ７０６へ移行する。例えば現在視聴中の放送番組の解像度が、配信情報保持部１１１に記録されている配信情報の解像度よりも高解像度であるならば、ステップＳ７０３にて、推奨する配信先が選択できないことになり、配信を装置使用者に対して推奨しない。その場合、ステップＳ７０６へ移行することになる。逆に、現在視聴中の放送番組の解像度が、配信情報保持部１１１に記録されている配信情報の解像度よりも低解像度であるならば、ステップＳ７０３にて、推奨する配信先が選択され、配信を装置使用者に対して推奨する。その場合、ステップＳ７０５へ移行することになる。
【０１０１】
ステップＳ７０５において、ＣＰＵ１１４は、装置使用者にＶＯＤ配信やダウンロードサービスを促す表示を行うようグラフィックス制御部１０９へ指示し、ステップＳ７０７へ移行する。表示は、図７（ａ）に示されるように、装置使用者が視聴している放送番組の表示に、図４（ｂ）に示されるようなＶＯＤ情報の表示を合成し提示するようにしても良い。また図７（ｂ）に示されるように、装置使用者が視聴している放送番組の表示を縮小表示し、空いた表示空間に、図４（ｂ）に示されるようなＶＯＤ情報の表示を合成し提示するようにしても良い。或いは装置使用者が視聴している放送番組の表示に、サイドパネルやレターボックスといった黒帯がある場合はその領域に提示しても良いし、それ以外の表示方法で提示しても良い。
【０１０２】
ステップＳ７０６において、ＣＰＵ１１４は、既にＶＯＤ配信やダウンロードサービスを促す表示がされている場合は、その表示を消去するよう、グラフィックス制御部１０９へ指示し、ステップＳ７０７へ移行する。即ち、既にステップＳ７０５にてＶＯＤ配信やダウンロードサービスを促す表示が行われている場合、その表示を消去し、元の放送番組のみの表示に戻すことになる。
【０１０３】
ステップＳ７０７において、ＣＰＵ１１４は、装置使用者がその放送番組を継続して視聴しているかどうかをチェックし、継続視聴していなければ視聴していたその放送番組に対する処理を終了し、継続視聴していればステップＳ７０２へ移行する。即ち、ステップＳ７０２からステップＳ７０７までを周期的に繰り返すことで、その時の視聴状態に応じて、視聴中の放送番組と同一内容のコンテンツのＶＯＤ配信やダウンロードサービスでの視聴を装置使用者に促すことになる。
【０１０４】
尚、通常放送番組がＶＯＤ配信やダウンロードサービス開始されるまでには一定期間あけてからであるが、再放送や映画などでは放送よりＶＯＤ配信やダウンロードサービスが先に開始されることがあり、そういった番組に対して本実施形態は有効である。
【０１０５】
以上が、本実施形態における映像再生装置において、放送番組を視聴中に、視聴中の放送番組の代わりに、装置使用者にＶＯＤ配信やダウンロードサービスを促すかどうかを決定する処理の流れである。
【０１０６】
尚、第１の実施形態、第２の実施形態共にＶＯＤ配信やダウンロードサービスへの推奨を例に説明したが、それ以外のコンテンツ配信サービスへの推奨でも良い。
【０１０７】
また、装置立ち上げ時や視聴中、及び録画予約や視聴予約時にのみ推奨するのではなく、それ以外のタイミングで行っても良い。また専用のキーやメニュー等を用意し、装置使用者が所定の操作を行うことで、装置使用者が意図するタイミングで推奨するかどうか判断するようにしても良い。
【０１０８】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
0005623108.tif 000002
【図２】
0005623108.tif 000003
【図３】
0005623108.tif 000004
【図４】
0005623108.tif 000005
【図５】
0005623108.tif 000006
【図６】
0005623108.tif 000007
【図７】
0005623108.tif 000008